(57)【要約】  本発明は、焼鈍処理方法、処理チャンバ、及び焼鈍装置を提供し、当該方法は、ウェハを処理チャンバ内に送入する前後、及びウェハを焼鈍処理する過程において、いずれも処理チャンバ内の圧力を予め設定された閾値に維持することを含み、ウェハを焼鈍処理する過程においてガスの乱流によって生じる温度の変動を避けられるだけでなく、チャンバ内の温度が安定状態に回復する時間を短縮できることにより、装置の生産能力を向上させることができる。  【選択図】図２
2019537843.tif 000002
【特許請求の範囲】
【請求項１】
ウェハを処理チャンバ内に送入する前後、及びウェハを焼鈍処理する過程において、いずれも前記処理チャンバ内の圧力を予め設定された閾値に維持することを含む、
ことを特徴とする焼鈍処理方法。
【請求項２】
ウェハを処理チャンバに送入する前に、処理チャンバ内に第１のガスを流入させ、前記処理チャンバの圧力を前記予め設定された閾値に維持し、
ウェハを処理チャンバに送入した後、及びウェハを焼鈍処理する過程において、前記処理チャンバ内に第２のガスを流入させ、前記処理チャンバ内の圧力を前記予め設定された閾値に維持する、
ことを特徴とする請求項１に記載の焼鈍処理方法。
【請求項３】
前記処理チャンバの排気流量を制御することにより、処理チャンバ内の圧力を前記予め設定された閾値に維持する、
ことを特徴とする請求項２に記載の焼鈍処理方法。
【請求項４】
予め設定された数量のウェハを焼鈍処理した後、前記処理チャンバを真空引きすることをさらに含む、
ことを特徴とする請求項１に記載の焼鈍処理方法。
【請求項５】
前記予め設定された数量は、２５〜５０枚である、
ことを特徴とする請求項４に記載の焼鈍処理方法。
【請求項６】
前記第１のガスはＮ２であり、前記第２のガスはＮ２とＨ２との混合ガスである、
ことを特徴とする請求項２に記載の焼鈍処理方法。
【請求項７】
前記第１のガスの流量は１００〜５００ｓｃｃｍであり、前記第２のガスにおけるＮ２の流量は１０００ｓｃｃｍであり、前記第２のガスにおけるＨ２の流量は３００ｓｃｃｍである、
ことを特徴とする請求項６に記載の焼鈍処理方法。
【請求項８】
前記予め設定された閾値は、１Ｔｏｒｒ〜１０Ｔｏｒｒである、
ことを特徴とする請求項１に記載の焼鈍処理方法。
【請求項９】
前記予め設定された閾値は、２Ｔｏｒｒである、
ことを特徴とする請求項８に記載の焼鈍処理方法。
【請求項１０】
ウェハを処理チャンバ内に送入する前後、及びウェハを焼鈍処理する過程において、いずれも前記処理チャンバ内の圧力を予め設定された閾値に維持する気圧制御手段を含む、
ことを特徴とする処理チャンバ。
【請求項１１】
前記気圧制御手段は、
前記処理チャンバの頂部に設置され、前記処理チャンバ内にガスを輸送する吸気構造と、
前記処理チャンバの底部に設置され、前記処理チャンバ内のガスを排出する排気構造と、
ウェハを処理チャンバに送入する前に、前記吸気構造を制御して処理チャンバ内に第１のガスを流入させるとともに、前記排気構造を制御して前記処理チャンバの圧力を前記予め設定された閾値に維持し、並びにウェハを処理チャンバに送入した後、及びウェハを焼鈍処理する過程において、前記吸気構造を制御して前記処理チャンバ内に第２のガスを流入させるとともに、前記排気構造を制御して前記処理チャンバ内の圧力を前記予め設定された閾値に維持する制御器と、を含む、
ことを特徴とする請求項１０に記載の処理チャンバ。
【請求項１２】
前記排気構造には、ガスの流量を調節するバルブが設置され、
前記制御器は、前記バルブの開度を調節することにより、前記処理チャンバの排気流量を制御することで、処理チャンバ内の圧力を予め設定された閾値に維持する、
ことを特徴とする請求項１１に記載の焼鈍処理方法。
【請求項１３】
前記処理チャンバは、前記処理チャンバ内の圧力を検出し、検出値を前記制御器に送信する圧力検出装置をさらに含み、
前記制御器は、前記検出値と前記閾値とに応じて、前記バルブの開度を調節する、
ことを特徴とする請求項１２に記載の処理チャンバ。
【請求項１４】
前記処理チャンバは、少なくとも２つの処理サブチャンバが設けられ、且つ前記少なくとも２つの処理サブチャンバが連通しているチャンバ本体をさらに含む、
ことを特徴とする請求項１１〜１３のいずれか１項に記載の処理チャンバ。
【請求項１５】
前記少なくとも２つの処理サブチャンバは、第１の処理サブチャンバ及び第２の処理サブチャンバを含み、前記第１の処理サブチャンバ及び第２の処理サブチャンバは構造が同一で、且つ水平方向に並べて設置されているとともに、両者間に両者を連通させる接続サブチャンバが設けられる、
ことを特徴とする請求項１４に記載の処理チャンバ。
【請求項１６】
前記吸気構造は、それぞれ前記第１の処理サブチャンバ及び第２の処理サブチャンバの頂部に設置され、それぞれ前記第１の処理サブチャンバ及び第２の処理サブチャンバ内にガスを輸送する第１の吸気構造及び第２の吸気構造を含み、
前記排気構造は、それぞれ前記第１の処理サブチャンバ及び第２の処理サブチャンバの底部に設置され、それぞれ前記第１の処理サブチャンバ及び第２の処理サブチャンバ内のガスを排出する前記第１の排気構造及び第２の排気構造を含み、
前記制御器は、第１のウェハ及び第２のウェハをそれぞれ前記第１の処理サブチャンバと前記第２の処理サブチャンバとに送入する前に、前記第１の吸気構造及び第２の吸気構造を制御して、それぞれ前記第１の処理サブチャンバ及び第２の処理サブチャンバ内に第１のガスを流入させるとともに、前記第１の排気構造及び第２の排気構造を制御して、それぞれ前記第１の処理サブチャンバ及び第２の処理サブチャンバ内のガスを排出させ、並びに第１のウェハ及び第２のウェハをそれぞれ前記第１の処理サブチャンバ及び第２の処理サブチャンバに送入した後、及びそれぞれ前記第１のウェハ及び第２のウェハを焼鈍処理する過程において、前記第１の吸気構造及び第２の吸気構造を制御して、それぞれ前記第１の処理サブチャンバ及び第２の処理サブチャンバ内に第２のガスを流入させるとともに、前記第１の排気構造及び第２の排気構造を制御して、それぞれ前記第１の処理サブチャンバ及び第２の処理サブチャンバ内のガスを排出させることで、前記第１の処理サブチャンバ及び第２の処理サブチャンバ内の圧力を前記予め設定された閾値に維持する、
ことを特徴とする請求項１５に記載の処理チャンバ。
【請求項１７】
前記排気構造にはガスの流量を調節するバルブが設置され、前記制御器は前記バルブの開度を調節することにより、前記処理チャンバの排気流量を制御することで、処理チャンバ内の圧力を前記予め設定された閾値に維持し、
前記排気構造は、排気集合管をさらに含み、前記第１の排気構造及び第２の排気構造はいずれも前記排気集合管と接続され、前記バルブは前記排気集合管に設置され、前記排気集合管のガス流量を調節することにより、同時に前記第１の排気構造及び第２の排気構造のガス流量を調節する、
ことを特徴とする請求項１６に記載の処理チャンバ。
【請求項１８】
請求項１０〜１７のいずれか１項に記載の処理チャンバを含む、
ことを特徴とする焼鈍装置。
【請求項１９】
前記処理チャンバと接続される伝送台をさらに含む、
ことを特徴とする請求項１８に記載の焼鈍装置。
【請求項２０】
前記伝送台は四角形であり、前記処理チャンバは３つであり、前記３つの処理チャンバはそれぞれ前記伝送台の３つの側面に位置する、
ことを特徴とする請求項１９に記載の焼鈍装置。
【請求項２１】
前記伝送台には真空マニピュレータが設置され、前記焼鈍装置は、前記伝送台における前記処理チャンバと接続していない側面に位置する積載チャンバをさらに含み、
前記真空マニピュレータは、ウェハを前記積載チャンバから、それぞれ前記処理チャンバの第１のチャンバ及び第２のチャンバ内に伝送する、
ことを特徴とする請求項２０に記載の焼鈍装置。
【発明の詳細な説明】
【技術分野】
【０００１】
本発明は、半導体装置の製造技術分野に関し、具体的には焼鈍処理方法、処理チャンバ、及び焼鈍装置に関する。
【背景技術】
【０００２】
集積回路市場の急速な発展に伴い、チップの生産能力増大のニーズにより、装置メーカーに新市場のチャンスがもたらされる一方、装置メーカーの現状及び将来的な技術力に対して、より高い要求が出されている。装置の生産能力とは、装置の単位作業時間内の良品生産数を指し、装置の加工能力を反映する重要な技術パラメータである。
【０００３】
図１は、従来の処理チャンバの構造模式図である。図１に示すように、従来の処理チャンバは、電球３１及び加熱器３２の２つの加熱手段を含むため、デュアルモード加熱方式と呼ばれる。電球３１は、チャンバの昇温速度を向上させ、温度の均一性を維持することができる。処理チャンバ３は、石英カバー３３とキャビティ３４とをさらに含み、両者がシールリング（図示せず）により密封されることで、キャビティ３４内で真空環境が形成される。キャビティ３４には、ウェハを通過させる出入口３５がさらに設置され、キャビティ３４内には、シリンダ３７と接続されるウェハ押し上げフィンガー３６がさらに設置される。シリンダ３７の駆動により、ウェハ押し上げフィンガー３６はマニピュレータと協力して、ウェハを加熱器３２まで伝送することができる。焼鈍処理を行う過程において、まず、ウェハをキャビティ３４における加熱器３２まで伝送し、その後、焼鈍処理を行う。また、この過程において、処理ガスが吸気口３８を介してキャビティ３４に流入する。その後、排気口のアングル弁３９を閉じ、キャビティ３４内の処理圧力を１〜１０Ｔに維持する。これにより、加熱器３２がウェハに十分に熱を伝えることをサポートする。
【０００４】
従来の焼鈍処理には、以下の課題が存在する。
【０００５】
処理ガスはウェハがキャビティ３４に入った後に流入するため、処理ガスの温度が低く、これによりキャビティ３４内の温度に変動が生じることで、ウェハの焼鈍に影響を与える。また、処理ガスの流入後は、キャビティ３４内の圧力が安定してから、キャビティ３４内の温度が徐々に安定する。温度の変動時間が長ければ、装置の生産能力に影響を与えるだけでなく、短時間の焼鈍処理にとって、キャビティ３４内の温度の変動は処理のニーズを満たすことができない。
【発明の概要】
【発明が解決しようとする課題】
【０００６】
本発明は、従来技術に存在する上記の欠点に対して、処理チャンバ内の温度変動が大きく、装置の生産能力が低いという課題を解決する焼鈍処理方法、処理チャンバ、及び焼鈍装置を提供する。
【課題を解決するための手段】
【０００７】
本発明は、上記の技術的課題を解決するために、以下のような技術案を用いる。
【０００８】
本発明は、ウェハを処理チャンバ内に送入する前後、及びウェハを焼鈍処理する過程において、いずれも前記処理チャンバ内の圧力を予め設定された閾値に維持することを含む焼鈍処理方法を提供する。
【０００９】
好ましくは、ウェハを処理チャンバに送入する前に、処理チャンバ内に第１のガスを流入させ、前記処理チャンバの圧力を前記予め設定された閾値に維持し、ウェハを処理チャンバに送入した後、及びウェハを焼鈍処理する過程において、前記処理チャンバ内に第２のガスを流入させ、前記処理チャンバ内の圧力を前記予め設定された閾値に維持する。
【００１０】
好ましくは、前記処理チャンバの排気流量を制御することにより、処理チャンバ内の圧力を前記予め設定された閾値に維持する。
【００１１】
好ましくは、前記方法は、予め設定された数量のウェハを焼鈍処理した後、前記処理チャンバを真空引きすることをさらに含む。
【００１２】
好ましくは、前記予め設定された数量は、２５〜５０枚である。
【００１３】
好ましくは、前記第１のガスはＮ２であり、前記第２のガスはＮ２とＨ２との混合ガスである。
【００１４】
好ましくは、前記第１のガスの流量は１００〜５００ｓｃｃｍであり、前記第２のガスにおけるＮ２の流量は１０００ｓｃｃｍであり、前記第２のガスにおけるＨ２の流量は３００ｓｃｃｍである。
【００１５】
好ましくは、前記予め設定された閾値は、１Ｔｏｒｒ〜１０Ｔｏｒｒである。
【００１６】
好ましくは、前記予め設定された閾値は、２Ｔｏｒｒである。
【００１７】
別の技術案として、本発明は、ウェハを処理チャンバ内に送入する前後、及びウェハを焼鈍処理する過程において、いずれも前記処理チャンバ内の圧力を予め設定された閾値に維持する気圧制御手段を含む処理チャンバをさらに提供する。
【００１８】
好ましくは、前記気圧制御手段は、前記処理チャンバの頂部に設置され、前記処理チャンバ内にガスを輸送する吸気構造と、前記処理チャンバの底部に設置され、前記処理チャンバ内のガスを排出する排気構造と、ウェハを処理チャンバに送入する前に、前記吸気構造を制御して処理チャンバ内に第１のガスを流入させるとともに、前記排気構造を制御して前記処理チャンバの圧力を前記予め設定された閾値に維持し、並びにウェハを処理チャンバに送入した後、及びウェハを焼鈍処理する過程において、前記吸気構造を制御して前記処理チャンバ内に第２のガスを流入させるとともに、前記排気構造を制御して前記処理チャンバ内の圧力を前記予め設定された閾値に維持する制御器と、を含む。
【００１９】
好ましくは、前記排気構造には、ガスの流量を調節するバルブが設置され、前記制御器は、前記バルブの開度を調節することにより、前記処理チャンバの排気流量を制御することで、処理チャンバ内の圧力を予め設定された閾値に維持する。
【００２０】
好ましくは、前記処理チャンバは、前記処理チャンバ内の圧力を検出し、検出値を前記制御器に送信する圧力検出装置をさらに含み、前記制御器は、前記検出値と前記閾値とに応じて、前記バルブの開度を調節する。
【００２１】
好ましくは、前記処理チャンバは、少なくとも２つの処理サブチャンバが設けられ、且つ前記少なくとも２つの処理サブチャンバが連通しているチャンバ本体をさらに含む。
【００２２】
好ましくは、前記少なくとも２つの処理サブチャンバは、第１の処理サブチャンバ及び第２の処理サブチャンバを含み、前記第１の処理サブチャンバ及び第２の処理サブチャンバは構造が同一で、且つ水平方向に並べて設置されているとともに、両者間に両者を連通させる接続サブチャンバが設けられる。
【００２３】
好ましくは、前記吸気構造は、それぞれ前記第１の処理サブチャンバ及び第２の処理サブチャンバの頂部に設置され、それぞれ前記第１の処理サブチャンバ及び第２の処理サブチャンバ内にガスを輸送する第１の吸気構造及び第２の吸気構造を含み、前記排気構造は、それぞれ前記第１の処理サブチャンバ及び第２の処理サブチャンバの底部に設置され、それぞれ前記第１の処理サブチャンバ及び第２の処理サブチャンバ内のガスを排出する前記第１の排気構造及び第２の排気構造を含み、前記制御器は、第１のウェハ及び第２のウェハをそれぞれ前記第１の処理サブチャンバと前記第２の処理サブチャンバとに送入する前に、前記第１の吸気構造及び第２の吸気構造を制御して、それぞれ前記第１の処理サブチャンバ及び第２の処理サブチャンバ内に第１のガスを流入させるとともに、前記第１の排気構造及び第２の排気構造を制御して、それぞれ前記第１の処理サブチャンバ及び第２の処理サブチャンバ内のガスを排出させ、並びに第１のウェハ及び第２のウェハをそれぞれ前記第１の処理サブチャンバ及び第２の処理サブチャンバに送入した後、及びそれぞれ前記第１のウェハ及び第２のウェハを焼鈍処理する過程において、前記第１の吸気構造及び第２の吸気構造を制御して、それぞれ前記第１の処理サブチャンバ及び第２の処理サブチャンバ内に第２のガスを流入させるとともに、前記第１の排気構造及び第２の排気構造を制御して、それぞれ前記第１の処理サブチャンバ及び第２の処理サブチャンバ内のガスを排出させることで、前記第１の処理サブチャンバ及び第２の処理サブチャンバ内の圧力を前記予め設定された閾値に維持する。
【００２４】
好ましくは、前記排気構造にはガスの流量を調節するバルブが設置され、前記制御器は前記バルブの開度を調節することにより、前記処理チャンバの排気流量を制御することで、処理チャンバ内の圧力を前記予め設定された閾値に維持し、前記排気構造は、排気集合管をさらに含み、前記第１の排気構造及び第２の排気構造はいずれも前記排気集合管と接続され、前記バルブは前記排気集合管に設置され、前記排気集合管のガス流量を調節することにより、同時に前記第１の排気構造及び第２の排気構造のガス流量を調節する。
【００２５】
別の技術案として、本発明は、本発明が提供する上記の処理チャンバを含む焼鈍装置をさらに提供する。
【００２６】
好ましくは、前記処理チャンバと接続される伝送台をさらに含む。
【００２７】
好ましくは、前記伝送台は四角形であり、前記処理チャンバは３つであり、前記３つの処理チャンバはそれぞれ前記伝送台の３つの側面に位置する。
【００２８】
好ましくは、前記伝送台には真空マニピュレータが設置され、前記焼鈍装置は、前記伝送台における前記処理チャンバと接続していない側面に位置する積載チャンバをさらに含み、前記真空マニピュレータは、ウェハを前記積載チャンバから、それぞれ前記処理チャンバの第１のチャンバ及び第２のチャンバ内に伝送する。
【００２９】
本発明は、以下の有益な効果を実現することができる。
【００３０】
本発明が提供する焼鈍処理方法は、ウェハを処理チャンバ内に送入する前後、及びウェハを焼鈍処理する過程において、いずれも処理チャンバの圧力を予め設定された閾値に維持する、即ち、チャンバ内の圧力を常に一定にすることにより、ウェハを焼鈍処理する過程におけるガスの乱流により生じる温度の変動を避けることができるだけでなく、チャンバ内の温度が安定状態に回復する時間を短縮できることで、装置の生産能力を向上できる。
【００３１】
本発明が提供する処理チャンバは、気圧制御手段によってウェハを処理チャンバ内に送入する前後、及びウェハを焼鈍処理する過程において、いずれも処理チャンバの圧力を予め設定された閾値に維持することにより、加熱手段がウェハを焼鈍処理する過程におけるガスの乱流により生じる温度の変動を避けることができるだけでなく、チャンバ内の温度が安定状態に回復する時間を短縮できることで、装置の生産能力を向上できる。
【００３２】
本発明が提供する焼鈍装置は、本発明が提供する上記の処理チャンバを用いることにより、加熱手段がウェハを焼鈍処理する過程におけるガスの乱流により生じる温度の変動を避けることができるだけでなく、チャンバ内の温度が安定状態に回復する時間を短縮できることで、装置の生産能力を向上できる。
【図面の簡単な説明】
【００３３】
【図１】図１は、従来の処理チャンバの構造模式図である。
【図２】図２は、本発明の実施例が提供する焼鈍処理フローの模式図である。
【図３ａ】図３ａは、本発明の実施例が提供する処理チャンバの吸気構造の模式図である。
【図３ｂ】図３ｂは、本発明の実施例が提供する処理チャンバの全体構造の模式図である。
【図４】図４は、本発明の実施例が提供する焼鈍装置の構造模式図である。
【発明を実施するための形態】
【００３４】
以下に、本発明における図面を組み合わせて、本発明における技術案について明確、周到な説明を行う。説明された実施例は、本発明の一部の実施例であり、全ての実施例ではないことは明らかである。本発明における実施例に基づいて、当業者が創造的な労力を要せずに得られた全ての他の実施例も、全て本発明の保護範囲に属する。
【００３５】
本発明の実施例は、ウェハを処理チャンバ内に送入する前後、及びウェハを焼鈍処理する過程において、いずれも処理チャンバの圧力を予め設定された閾値に維持する、即ち、チャンバ内の圧力を常に一定にすることにより、ウェハを焼鈍処理する過程におけるガスの乱流により生じる温度の変動を避けることができるだけでなく、チャンバ内の温度が安定状態に回復する時間を短縮できることで、装置の生産能力を向上できる焼鈍処理方法を提供する。
【００３６】
本発明の実施例は、焼鈍処理方法をさらに提供し、以下に図２を組み合わせて当該焼鈍処理方法を詳細に説明する。図２に示すように、前記方法は、以下のステップＳ２１とステップＳ２２とを含む。
【００３７】
ステップＳ２１は、ウェハを処理チャンバに送入する前に、処理チャンバ内に第１のガスを流入させ、前記処理チャンバの圧力を前記予め設定された閾値に維持する。
【００３８】
具体的には、第１のガスはＮ２である。当該第１のガスの流量は、１００〜５００ｓｃｃｍである。上記の予め設定された閾値は、１Ｔｏｒｒ〜１０Ｔｏｒｒであってよく、好ましくは、当該予め設定された閾値は２Ｔｏｒｒである。
【００３９】
ステップＳ２２は、ウェハを処理チャンバに送入した後、及びウェハを焼鈍処理する過程において、処理チャンバ内に第２のガスを流入させ、処理チャンバ内の圧力を上記の予め設定された閾値に維持する。
【００４０】
具体的に、第２のガスはＮ２とＨ２との混合ガスであり、Ｎ２の流量は１０００ｓｃｃｍであり、Ｈ２の流量は３００ｓｃｃｍである。
【００４１】
焼鈍処理過程において、処理チャンバ内にガスを流入させるとともに、チャンバ内のガスを排出するため、チャンバ内のガスを流動状態にできることにより、ウェハ表面の高温により生じた汚染物を処理チャンバから取り出すことができ、汚染物の処理効率を高めることができる。また、処理チャンバの排気流量を制御することにより、処理チャンバ内の圧力を上記の予め設定された閾値に維持しても良い。
【００４２】
なお、焼鈍処理の前後は定電圧制御であるため、真空マニピュレータを用いてウェハを処理チャンバ内に送入するとき、処理チャンバのスリットバルブ（ｓｌｉｔ  ｖａｌｖｅ）両側の圧力差及びウェハの位置を考慮する必要がある。このため、伝送台の伝送チャンバ内には圧力計とニードルバルブとが取り付けられることで、伝送チャンバ内の圧力を処理チャンバの圧力と同等に調節することができ、これによりスリットバルブを開いてウェハを取得して送入するとき、処理チャンバ内の圧力が変わらないように確保できる。
【００４３】
上記のステップＳ２１〜Ｓ２２からわかるように、処理チャンバ内にウェハを送入する前に、処理チャンバ内に第１のガスを流入させることで、処理チャンバの圧力を予め設定された閾値に維持し、処理チャンバ内にウェハを送入した後、及びウェハを焼鈍処理する過程において、処理チャンバ内に第２のガスを流入させることで、処理チャンバ内の圧力を依然として当該予め設定された閾値に維持する、即ち、チャンバ内の圧力を一定にすることにより、ウェハを焼鈍処理する過程におけるガスの乱流により生じる温度の変動を避けることができるだけでなく、チャンバ内の温度が安定状態に回復する時間を短縮でき、これにより装置の生産能力を向上できる。
【００４４】
実際の運用では、焼鈍処理過程において、処理チャンバ内のガスは常に流動しており、一部の汚染物を取り除くことができるが、僅かの汚染物がキャビティ内に残ることは避けられない。したがって、処理チャンバが一定時間連続して作動した後、焼鈍処理過程において生じる汚染物がある程度累積し、処理チャンバをメンテナンスする必要がある。このため、本発明の実施例が提供する焼鈍処理方法は、以下のステップＳ２３をさらに含む。
【００４５】
ステップＳ２３は、予め設定された数量のウェハを焼鈍処理した後、処理チャンバを真空引きする。
【００４６】
具体的に、上記の真空引きは、バックグラウンドの真空引き方式を用いることができ、即ち、処理チャンバ内にウェハが置かれていない場合、処理チャンバ内のガスが完全に抽出されるまで処理チャンバを真空引きすることで、高い真空度が得られる。
【００４７】
好ましくは、上記の予め設定された数量は２５〜５０枚であり、即ち、２５〜５０枚のウェハを連続して焼鈍処理した後、処理チャンバを真空引きすることにより、処理チャンバ内に残っている汚染物をさらに除去することができる。
【００４８】
具体的に、真空マニピュレータを制御する制御器を用いて、伝送したウェハの数量をカウントすることができ、各処理チャンバに輸送したウェハの数量が予め設定された数量以上であれば、前記処理チャンバを一回真空引きする。各処理チャンバに輸送されたウェハの数量が前記予め設定された数量未満であれば、処理チャンバ内に引き続きウェハを伝送し、焼鈍処理を継続する。
【００４９】
別の技術案として、本発明は、ウェハを処理チャンバ内に送入する前後、及びウェハを焼鈍処理する過程において、いずれも処理チャンバ内の圧力を予め設定された閾値に維持する気圧制御手段を含む処理チャンバをさらに提供する。
【００５０】
本発明の実施例が提供する処理チャンバは、気圧制御手段によってウェハを処理チャンバ内に送入する前後、及びウェハを焼鈍処理する過程において、いずれも処理チャンバの圧力を予め設定された閾値に維持することにより、加熱手段がウェハを焼鈍処理する過程におけるガスの乱流により生じる温度の変動を避けることができるだけでなく、チャンバ内の温度が安定状態に回復する時間を短縮できることで、装置の生産能力を向上できる。
【００５１】
好ましくは、気圧制御手段は、処理チャンバ内にガスを流入させるとともに、チャンバ内のガスを排出することにより、処理チャンバ内の圧力を上記の予め設定された閾値に維持する。このように、チャンバ内のガスを流動状態にできることにより、ウェハ表面の高温により生じた汚染物を処理チャンバから取り出すことができ、汚染物の処理効率を高めることができる。また、処理チャンバの排気流量を制御することにより、処理チャンバ内の圧力を上記の予め設定された閾値に維持しても良い。
【００５２】
具体的に、気圧制御手段は、吸気構造と、排気構造と、制御器と、を含み、吸気構造は処理チャンバの頂部に設置され、処理チャンバ内にガスを輸送し、排気構造は処理チャンバの底部に設置され、処理チャンバ内のガスを排出し、制御器はウェハを処理チャンバに送入する前に、吸気構造を制御して処理チャンバ内に第１のガスを流入させるとともに、排気構造を制御して処理チャンバの圧力を前記予め設定された閾値に維持し、ウェハを処理チャンバに送入した後、及びウェハを焼鈍処理する過程において、吸気構造を制御して前記処理チャンバ内に第２のガスを流入させるとともに、排気構造を制御して処理チャンバ内の圧力を予め設定された閾値に維持する。
【００５３】
本実施例において、図３ａ及び図３ｂに示すように、処理チャンバ８はチャンバ本体８１を含み、当該チャンバ本体８１には２つの処理サブチャンバが設けられ、且つ２つの処理サブチャンバは連通している。具体的に、２つの処理サブチャンバは、それぞれ第１の処理サブチャンバ８１１及び第２の処理サブチャンバ８１２であり、第１の処理サブチャンバ８１１及び第２の処理サブチャンバ８１２は構造が同一で、且つ水平方向に並べて設置されているとともに、両者間に両者を連通させる接続サブチャンバ８１３が設けられる。
【００５４】
チャンバ本体に、構造が同一で、且つ対称に設置された２つの処理サブチャンバが開設され、接続サブチャンバを設置して２つの処理サブチャンバを連通することにより、２つの処理サブチャンバ内の２つのウェハを同時に焼鈍処理することができ、これにより処理時間を半分に短縮し、処理効率及び装置の生産能力を向上できる。
【００５５】
さらに、吸気構造は、第１の吸気構造８３１と第２の吸気構造８３２とを含み、両者はそれぞれ第１の処理サブチャンバ８１１及び第２の処理サブチャンバ８１２の頂部に設置され、それぞれ第１の処理サブチャンバ８１１及び第２の処理サブチャンバ８１２内にガスを輸送する。排気構造は、第１の排気構造８２１と第２の排気構造８２２とを含み、両者はそれぞれ第１の処理サブチャンバ８１１及び第２の処理サブチャンバ８１２の底部に設置され、それぞれ第１の処理サブチャンバ８１１及び第２の処理サブチャンバ８１２内のガスを排出する。
【００５６】
制御器は、第１のウェハと第２のウェハとをそれぞれ第１の処理サブチャンバ８１１と第２の処理サブチャンバ８１２とに送入する前に、第１の吸気構造８３１及び第２の吸気構造８３２を制御して、それぞれ第１の処理サブチャンバ８１１及び第２の処理サブチャンバ８１２内に第１のガスを流入させるとともに、第１の排気構造８２１及び第２の排気構造８２２を制御して、それぞれ第１の処理サブチャンバ８１１及び第２の処理サブチャンバ８１２内のガスを排出させ、第１のウェハと第２のウェハとをそれぞれ第１の処理サブチャンバ８１１と第２の処理サブチャンバ８１２とに送入した後、及びそれぞれ第１のウェハ及び第２のウェハを焼鈍処理する過程において、第１の吸気構造８３１及び第２の吸気構造８３２を制御して、それぞれ第１の処理サブチャンバ８１１及び第２の処理サブチャンバ８１２内に第２のガスを流入させることで、第１の処理サブチャンバ８１１及び第２の処理サブチャンバ８１２内の圧力を上記の予め設定された閾値に維持する。
【００５７】
上記の第１の吸気構造８３１と第２の吸気構造８３２とは、いずれも吸気管であってよい。上記の第１の排気構造８２１と第２の排気構造８２２とは、いずれも排気管であってよい。
【００５８】
好ましくは、排気構造にはガスの流量を調節するバルブ８３が設置される。また、制御器はバルブの開度を調節することにより、処理チャンバの排気流量を制御することで、処理チャンバ内の圧力を上記の予め設定された閾値に維持することができる。バルブの開度が大きいほど、処理チャンバの排気流量が大きく、反対に、バルブの開度が小さいほど、処理チャンバの排気流量が小さいことが容易に理解できる。好ましくは、バルブ８３は圧力バタフライバルブであってよい。
【００５９】
好ましくは、排気構造は、排気集合管をさらに含み、上記の第１の排気構造８２１及び第２の排気構造８２２はいずれも排気集合管と接続され、バルブ８３は当該排気集合管に設置され、排気集合管のガス流量を調節することにより、同時に第１の排気構造８２１及び第２の排気構造８２２のガス流量を調節する。
【００６０】
さらに好ましくは、図３ｂに示すように、上記の排気構造は、排気集合管８２３をさらに含み、第１の排気構造８２１及び第２の排気構造８２２はいずれも排気集合管８２３と接続され、バルブ８３は排気集合管８２３に設置され、排気集合管８２３のガス流量を調節することにより、同時に第１の排気構造８２１及び第２の排気構造８２２のガス流量を調節することで、第１の処理サブチャンバ８１１及び第２の処理サブチャンバ８１２の排気流量の同時制御を実現することができる。
【００６１】
第１の処理サブチャンバ８１１と、第２の処理サブチャンバ８１２と、接続サブチャンバ８１３とは相互に連通しており、３つのチャンバ内の圧力は同一であるため、処理チャンバ内の圧力を検出するために、圧力検出装置を上記の３つのチャンバのうちのいずれか１つのチャンバ内に設置することができる。具体的に、第１の処理サブチャンバ８１１、第２の処理サブチャンバ８１２、又は接続サブチャンバ８１３内に圧力検出装置（図示せず）が設置され、当該圧力検出装置は処理チャンバ内の圧力を検出し、検出値を制御器に送信する。制御器は、具体的に検出値と予め設定された閾値とに応じて、バルブ８３の開度を制御することで、閉ループ制御を実現し、処理チャンバ内の圧力をより正確に制御することができる。
【００６２】
具体的に、上記の予め設定された閾値は、予め制御器内に設定することができ、通常、当該予め設定された閾値は１Ｔｏｒｒ〜１０Ｔｏｒｒに設定され、好ましくは２Ｔｏｒｒである。
【００６３】
制御器は検出値が予め設定された閾値より大きいと判断した場合、バルブ８３の開度を増大するように制御することで、第１の処理サブチャンバ８１１及び第２の処理サブチャンバ８１２の排気流量を増加し、これにより第１の処理サブチャンバ８１１及び第２の処理サブチャンバ８１２内の圧力を下げる。制御器は検出値が閾値より小さいと判断した場合、バルブ８３の開度を減少するように制御することで、第１の処理サブチャンバ８１１及び第２の処理サブチャンバ８１２の排気流量を減少させ、これにより第１の処理サブチャンバ８１１及び第２の処理サブチャンバ８１２内の圧力を増加させる。制御器は検出値が予め設定した閾値と等しいと判断した場合、バルブ８３の現在の開度をそのままに維持することで、第１の処理サブチャンバ８１１及び第２の処理サブチャンバ８１２の排気流量を維持し、これにより第１の処理サブチャンバ８１１及び第２の処理サブチャンバ８１２内の圧力を現在の数値に維持する。
【００６４】
なお、本実施例において、処理サブチャンバは２つであるが、本発明はこれに限定されず、実際の使用において、処理サブチャンバは３つ、４つ又はそれ以上であってもよく、３つ以上の処理サブチャンバは連通している。また、接続サブチャンバ、吸気構造及び排気構造の数量は、処理サブチャンバの数量に対応する。
【００６５】
以上のように、本発明の実施例が提供する処理チャンバは、気圧制御手段によってウェハを処理チャンバ内に送入する前後、及びウェハを焼鈍処理する過程において、いずれも処理チャンバの圧力を予め設定された閾値に維持することにより、加熱手段がウェハを焼鈍処理する過程におけるガスの乱流により生じる温度の変動を避けることができるだけでなく、チャンバ内の温度が安定状態に回復する時間を短縮できることで、装置の生産能力を向上できる。
【００６６】
別の技術案として、図４に示すように、本発明の実施例は処理チャンバ８を含む焼鈍装置をさらに提供し、当該処理チャンバ８は本発明の実施例が提供する上記の処理チャンバを用いる。
【００６７】
さらに、焼鈍装置は伝送台１をさらに含み、処理チャンバ８は伝送台１と接続する。
【００６８】
本発明の実施例において、図４に示すように、伝送台１は四角形であり、装置の生産能力をさらに高めるために、好ましくは、処理チャンバ８は３つであり、３つの処理チャンバ８はそれぞれ伝送台１の３つの側面に位置する。
【００６９】
各処理チャンバ８はいずれも２つの処理サブチャンバ（即ち、第１の処理サブチャンバ８１１及び第２の処理サブチャンバ８１２）を含むため、各処理チャンバ８は２つのウェハを同時に焼鈍処理でき、即ち、焼鈍装置は６つのウェハを同時に焼鈍処理できることで、装置の生産能力を大幅に向上させることができる。実際の使用において、具体的なニーズに応じて、より多くの処理サブチャンバを設置し、又は伝送台１を五角形又はその他の多角形に設けることで、処理チャンバ８の数量をさらに増加し、これにより装置の生産能力を高めることができることは言うまでもない。
【００７０】
本実施例において、伝送台１には真空マニピュレータ（ＶＴＲ）２が設置され、焼鈍装置は積載チャンバ４をさらに含み、積載チャンバ４は伝送台１における処理チャンバ８と接続していない側面に位置し、即ち積載チャンバ４と処理チャンバ８とは、伝送台１の四辺に設置され、伝送台１と接続されている。
【００７１】
真空マニピュレータ２は、ウェハを積載チャンバ４から処理チャンバ８の第１の処理サブチャンバ８１１及び第２の処理サブチャンバ８１２内に伝送することで、焼鈍処理を行う。
【００７２】
ウェハは焼鈍の完了後、真空マニピュレータ２により処理チャンバ８から取り出され、積載チャンバ４に再び伝送され、積載チャンバ４に冷水が流入し、高温処理後のウェハの温度を下げることができる。
【００７３】
本実施例において、図４に示すように、焼鈍装置は装置先端モジュール（ＥＦＥＭ）５をさらに含み、装置先端モジュール５は大気環境にあり、内部に大気伝送マニピュレータ（ＡＴＲ）６が設置され、ウェハ積載ボックス７と積載チャンバ４との間でウェハを伝送することができ、大気伝送マニピュレータ６には把持機構が設置され、ウェハのマニピュレータの手の上での位置が補正できる。
【００７４】
なお、本発明の実施例が提供する焼鈍装置の各処理チャンバ８は互いに独立しており、３つの処理チャンバ８は同時に焼鈍処理することができ、実際の生産ニーズに応じて、３つの処理チャンバ８のうち少なくとも１つを選んで生産に投入し、焼鈍装置の使用をより柔軟にし、応用度をより高くすることもできる。
【００７５】
以上のように、本発明の実施例が提供する焼鈍装置は、本発明の実施例が提供する上記の処理チャンバを用いることにより、加熱手段がウェハを焼鈍処理する過程におけるガスの乱流により生じる温度の変動を避けることができるだけでなく、チャンバ内の温度が安定状態に回復する時間を短縮できることで、装置の生産能力を向上できる。
【００７６】
以上の実施の形態は、本発明の原理を説明するために用いられた例示的な実施の形態に過ぎず、本発明はこれに限定されるものではないと理解できる。当業者は、本発明の精神及び実体を逸脱しない状況において、各種の変更及び改良を行うことができ、これらの変更及び改良も本発明の保護範囲と見なされる。
【符号の説明】
【００７７】
１  伝送台
２  真空マニピュレータ
４  積載チャンバ
５  装置先端モジュール
６  大気伝送マニピュレータ
７  ウェハ積載ボックス
８  処理チャンバ
３１  電球
３２  加熱器
３３  石英カバー
３４  キャビティ
３５  出入口
３６  ウェハ押し上げフィンガー
３７  シリンダ
３８  吸気口
３９  アングル弁
８１  チャンバ本体
８３  バルブ
８１１  第１の処理サブチャンバ
８１２  第２の処理サブチャンバ
８１３  接続サブチャンバ
８２１  第１の排気構造
８２２  第２の排気構造
８２３  排気集合管
８３１  第１の吸気構造
８３２  第２の吸気構造
【図１】
2019537843.tif 000003
【図２】
2019537843.tif 000004
【図３ａ】
2019537843.tif 000005
【図３ｂ】
2019537843.tif 000006
【図４】
2019537843.tif 000007
【国際調査報告】
2019537843.tif 000008
2019537843.tif 000009
2019537843.tif 000010
2019537843.tif 000011